(57)【要約】      （修正有）【課題】マスクを装着時に耳かけ紐によって生じる耳の傷みを防止すること及びマスクがずれるのを防止するマスク装着補助器を提供する。【解決手段】水平に頭部に装着した場合、重力上の上にあたる上辺に凸凹４を設けマスク１の耳かけ紐２をかけられるようにすることを特徴としたゴムでできた輪状物または輪筒状物３である。【選択図】図１
0003192635.tif 000002
【実用新案登録請求の範囲】
【請求項１】
ゴムでできた輪状物・輪筒状物の上辺に凸凹を設けマスクの耳かけ紐をかけられるようにする。
【請求項２】
シリコンゴムでできた輪状物・輪筒状物の上辺に凸凹を設けマスクの耳かけ紐をかけられるようにする。
【請求項３】
ビニールでできた輪状物・輪筒状物の上辺に凸凹を設けマスクの耳かけ紐をかけられるようにする。
【請求項４】
スポンジでできた輪状物・輪筒状物の上辺に凸凹を設けマスクの耳かけ紐をかけられるようにする。
【請求項５】
プラスチックでできた輪状物・輪筒状物の上辺に凸凹を設けマスクの耳かけ紐をかけられるようにする。
【請求項６】
布状の輪状物・輪筒状物の上辺に凸凹を設けマスクの耳かけ紐をかけられるようにする。
【請求項７】
伸縮性のある輪状物・輪筒状物の上辺に凸凹を設けマスクの耳かけ紐をかけられるようにする。
【請求項８】
ゴム・シリコンゴム・ビニール・スポンジ・プラスチック・布状など伸縮性のあるものでできた輪状物・輪筒状物に補助ベルトをつけ加える。
【請求項９】
凸凹を鍵形にする。
【請求項１０】
凹を鍵形にする。
【請求項１１】
ゴム・シリコンゴム・ビニール・スポンジ・プラスチック・布状などでできた柔らかい板状のものをゴム・シリコンゴム・ビニール・スポンジ・プラスチック・布状など伸縮性のあるものでできた輪状物・輪筒状物につける。
【請求項１２】
ゴム・シリコンゴム・ビニール・スポンジ・プラスチック・布状などでできた柔らかい板状のものをゴム・シリコンゴム・ビニール・スポンジ・プラスチック・布状など伸縮性のあるものでできた輪状物・輪筒状物に補助ベルトをつける。
【考案の詳細な説明】
【技術分野】
【０００１】本発明は、マスクを装着時に耳かけ紐によって生じる耳の傷みを防止すること及びマスクがずれるのを防止する補助具に関する。
【背景技術】
【０００２】従来のマスクは、耳かけ紐を耳にかける。（特許文献１を参照）
【先行技術文献】
【０００３】
【特許文献１】実用新案公開平６−４８６９９
【考案の概要】
【考案が解決しようとする課題】
【０００４】１）市販のマスクは、耳かけ紐を耳にかけて固定するため、長時間使用や、眼鏡の同時使用により耳に痛みを生じる。
２）耳かけ紐が緩いタイプのマスクにおいては、マスクがずれる。
３）下を向いた時、眼鏡が落ちる。
４）耳かけ紐が緩いタイプのマスクにおいては、マスクと顔の間に隙間ができる。
５）頭に装着した凸凹輪状物・輪筒状物にマスクの耳かけ紐をかけると上辺凸凹輪状物・輪筒状物は下の方に下がる。
【課題を解決するための手段】
【０００５】１）上辺凸凹輪状物・輪筒状物の凸凹に、マスクの耳かけ紐を耳より前の凸凹と後ろの凸凹に三角形になるように、かつ耳に掛からないようにかける。
２）上辺凸凹輪状物に補助ベルトをつける。
【考案の効果】
【０００６】１）市販のマスクの長時間使用や眼鏡の同時使用で生じる耳の痛みを防止。
２）耳かけ紐が緩いタイプのマスクにおいては、マスクが下にずれるのを防止。
３）下を向いた時、眼鏡が落ちるのを防止。
４）マスクと顔の間の隙間が無くなる。
５）補助ベルトが上辺凸凹輪状物・輪筒状物が頭部の下にずれるのを防ぐ。
【図面の簡単な説明】
【０００７】
【図１】ゴム・シリコンゴム・ビニール・スポンジ・プラスチック・布状・伸縮性のあるものでできた上辺凸凹輪状物・輪筒状物を装着し利用した図。
【図２】ゴム・シリコンゴム・ビニール・スポンジ・プラスチック・布状・伸縮性のあるものでできた上辺凸凹輪状物・輪筒状物に縦の補助ベルトを付け加えた図。
【図３】［図２］の正面図
【図４】ゴム・シリコンゴム・ビニール・スポンジ・プラスチック・布状・伸縮性のあるものでできた上辺凸凹輪状物・輪筒状物に横の補助ベルトを２つ付け加えた図。
【図５】ゴム・シリコンゴム・ビニール・スポンジ・プラスチック・布状・伸縮性のあるものでできた上辺凸凹輪状物・輪筒状物に縦一つと横のベルト二つを付け加えた図。
【図６】ゴム・シリコンゴム・ビニール・スポンジ・プラスチック・布状・伸縮性のあるものでできた上辺凸凹輪状物・輪筒状物に付け加えた横ベルト２本の間に縦ベルトを付け加えた図。
【図７】ゴム・シリコンゴム・ビニール・スポンジ・プラスチック・布状・伸縮性のあるものでできた上辺凸凹輪状物・輪筒状物に横・縦のベルトをＴ字状につけた図。
【図８】上辺凸凹が少ない場合の図。
【図９】ゴム・シリコンゴム・ビニール・スポンジ・プラスチック・布状・伸縮性のあるものでできた上辺鍵形凸凹がある輪状物・輪筒状物を装着して利用した図。
【図１０】ゴム・シリコンゴム・ビニール・スポンジ・プラスチック・布状・伸縮性のあるものでできた上辺鍵形凹がある輪状物・輪筒状物を装着して利用した図。
【図１１】上辺鍵形凹がある輪状物・輪筒状物に補助ベルトをつけた図。
【図１２】ゴム・シリコンゴム・ビニール・スポンジ・プラスチック・布状など伸縮性のあるものでできた輪状物・輪筒状物に、ゴム・シリコンゴム・ビニール・スポンジ・プラスチック・布状など柔らかいものでできた板をつけたものを装着して利用した図。
【図１３】ゴム・シリコンゴム・ビニール・スポンジ・プラスチック・布状など柔らかいものでできた板をつけたゴム・シリコンゴム・ビニール・スポンジ・プラスチック・布状・伸縮性のあるものでできたた輪状物・輪筒状物に補助ベルトをつけた図。
【考案を実施するための形態】
【０００８】ゴム・シリコンゴム・ビニール・スポンジ・プラスチック・布状・伸縮性のあるものでできた輪状物・輪筒状物の上辺を凸凹や鍵形凸凹、鍵形凹を備えさせる。または、ゴム・シリコンゴム・ビニール・スポンジ・プラスチック・布状・伸縮性のあるものでできた板を付け加える上辺凸凹にする。
これら上辺凸凹輪状物・輪筒物に補助ベルトをつける。
【実施例１】
【０００９】図１・図８・図９・図１０・図１２のようにゴム・シリコンゴム・ビニール・スポンジ・プラスチック・布状・伸縮性のあるものでできた上辺凸凹輪状物・輪筒状物の上辺凸凹に、マスクの耳かけ紐をかける。
【実施例２】
【００１０】図２・図３・図４・図５・図６・図７・図１１・図１３のように、上辺凸凹輪状物・輪筒状物に、補助ベルトをつける。
【産業上の利用可能性】
【００１１】本発明は、医療・食品加工業・研究などマスクを必要とする産業で利用される。
【符号の説明】
【００１２】１    マスク
２    耳かけ紐
３    輪状物・輪筒状物
４    凸凹
５    縦補助ベルト
６    横補助ベルト
７    横補助ベルトを繋ぐ縦補助ベルト
８    横ベルト間補助ベルト
９    後ろ縦補助ベルト
１０  最小数上辺凸凹
１１  上辺鍵形凸凹
１２  上辺鍵形凹
１３  ゴム・シリコンゴム・ビニール・スポンジ・プラスチック・布状などでできた柔らかい板状のもの
【図１】
0003192635.tif 000003
【図２】
0003192635.tif 000004
【図３】
0003192635.tif 000005
【図４】
0003192635.tif 000006
【図５】
0003192635.tif 000007
【図６】
0003192635.tif 000008
【図７】
0003192635.tif 000009
【図８】
0003192635.tif 000010
【図９】
0003192635.tif 000011
【図１０】
0003192635.tif 000012
【図１１】
0003192635.tif 000013
【図１２】
0003192635.tif 000014
【図１３】
0003192635.tif 000015
【手続補正書】
【提出日】平成26年5月27日(2014.5.27)
【手続補正１】
【補正対象書類名】実用新案登録請求の範囲
【補正対象項目名】全文
【補正方法】変更
【補正の内容】
【実用新案登録請求の範囲】
【請求項１】
水平に頭部に装着した場合、重力上の上にあたる上辺に凸凹を設けマスクの耳かけ紐をかけられるようにすることを特徴としたゴムでできた輪状物または輪筒状物であることを特徴としたマスク装着補助器。
【請求項２】
水平に頭部に装着した場合、重力上の上にあたる上辺に凸凹を設けマスクの耳かけ紐をかけられるようにすることを特徴としたシリコンゴムでできた輪状物または輪筒状物であることを特徴としたマスク装着補助器。
【請求項３】
水平に頭部に装着した場合、重力上の上にあたる上辺に凸凹を設けマスクの耳かけ紐をかけられるようにすることを特徴としたビニールでできた輪状物または輪筒状物であることを特徴としたマスク装着補助器。
【請求項４】
水平に頭部に装着した場合、重力上の上にあたる上辺に凸凹を設けマスクの耳かけ紐をかけられるようにすることを特徴としたスポンジでできた輪状物または輪筒状物であることを特徴としたマスク装着補助器。
【請求項５】
水平に頭部に装着した場合、重力上の上にあたる上辺に凸凹を設けマスクの耳かけ紐をかけられるようにすることを特徴としたプラスチックでできた輪状物・輪筒状物であることを特徴としたマスク装着補助器。
【請求項６】
水平に頭部に装着した場合、重力上の上にあたる上辺に凸凹を設けマスクの耳かけ紐をかけられるようにすることを特徴とした布状の輪状物または輪筒状物であることを特徴としたマスク装着補助器。
【請求項７】
水平に頭部に装着した場合、重力上の上にあたる上辺に凸凹を設けマスクの耳かけ紐をかけられるようにする伸縮性のある輪状物または輪筒状物であることを特徴としたマスク装着補助器。
【請求項８】
補助ベルトをつけ加えることを特徴とした請求項１〜７の何れか一項に記載された輪状物または輪筒状物であることを特徴としたマスク装着補助器。
【請求項９】
凸凹を鍵形にすることを特徴とする請求項１〜７の何れか一項に記載された輪状物または輪筒状物であることを特徴としたマスク装着補助器。
【請求項１０】
凹を鍵形にすることを特徴とする請求項１〜７の何れか一項に記載された輪状物または輪筒状物であることを特徴としたマスク装着補助器。
【請求項１１】
ゴム、シリコンゴム、ビニール、スポンジ、プラスチックまたは布状などでできた柔らかい板状のものをつけて、水平に頭部に装着した場合の重力上の上にあたる上辺を凸凹にしたことを特徴とするゴム、シリコンゴム、ビニール、スポンジ、プラスチックまたは布状など伸縮性のあるものでできた輪状物または輪筒状物であることを特徴としたマスク装着補助器。
【請求項１２】
補助ベルトをつけることを特徴とした請求項１１に記載された輪状物または輪筒状物であることを特徴としたマスク装着補助器。